(57)【特許請求の範囲】
【請求項１】
撮像された被写体画像に基づき撮影シーンを判定する判定手段と、
撮影条件に関するグラフを表示するとともに、前記判定手段により判定された撮影シーンに対応する撮影条件に対応する前記グラフ上の位置に、所定の識別子を表示する表示手段と、
を備えたカメラにおいて、
前記表示手段は、ユーザの操作に応じて前記所定の識別子を前記グラフ上で移動させる操作手段を備え、
この操作手段の動作に基づき、前記判定手段により判定された撮影シーンに対応する撮影条件を調整するマニュアル調整手段を更に備える
ことを特徴とするカメラ。
【請求項２】
前記操作手段により移動させた前記所定の識別子の前記グラフ上における位置を検出する位置検出手段を備え、
前記マニュアル調整手段は、前記位置検出手段により検出された前記グラフ上における位置に基づき、前記判定手段により判定された撮影シーンに対応する撮影条件を調整することを特徴とする請求項１記載のカメラ。
【請求項３】
前記マニュアル調整手段により調整された撮影条件に基づき、前記撮像された被写体画像に対して画像処理を施す画像処理手段を備え、
前記表示手段は、前記画像処理手段により画像処理が施された被写体画像をスルー画像として、前記グラフに重畳させて表示することを特徴とする請求項１記載のカメラ。
【請求項４】
ユーザの撮影準備動作の開始を検出する動作検出手段を備え、
前記表示手段は、前記動作検出手段によりユーザの撮影準備動作の開始が検出されると、前記グラフの表示を消去することを特徴とする請求項３記載のカメラ。
【請求項５】
前記グラフは、２次元グラフであり、
前記表示手段は、前記２次元グラフに、前記識別子上で直交する縦線と横線とを更に表示することを特徴とする請求項１から４にいずれか記載のカメラ。
【請求項６】
前記マニュアル調整手段により調整された撮影条件、又は前記判定手段により判定された撮影シーンに応じた撮影条件で撮影を実行する撮影手段を備えることを特徴とする請求項１から５にいずれか記載のカメラ。
【請求項７】
前記所定の識別子は、前記判定手段により判定された撮影シーンに対応する撮影モードアイコンであり、
前記表示手段は、前記判定手段により判定された撮影シーン以外の撮影シーンに対応する撮影モードアイコンをも、前記グラフ上において対応する位置に表示するとともに、前記判定手段により判定された撮影シーンに対応する撮影モードアイコンと、前記判定された撮影シーン以外の撮影シーンに対応する撮影モードアイコンとを異なる表示形態で表示することを特徴とする請求項１から６にいずれか記載のカメラ。
【請求項８】
カメラが有するコンピュータを、
撮像された被写体画像に基づき撮影シーンを判定する判定手段と、
撮影条件に関するグラフを表示手段に表示させるとともに、前記判定手段により判定された撮影シーンに対応する撮影条件に対応する前記グラフ上の位置に、所定の識別子を表示させる表示制御手段と、
ユーザの操作に応じて前記所定の識別子を前記グラフ上で移動させるための操作手段の動作に基づき、前記判定手段により判定された撮影シーンに対応する撮影条件を調整するマニュアル調整手段と、
して機能させることを特徴とするカメラ制御プログラム。
【請求項９】
撮像された被写体画像に基づき撮影シーンを判定する判定ステップと、
撮影条件に関するグラフを表示手段に表示するとともに、前記判定ステップにより判定された撮影シーンに対応する撮影条件に対応する前記グラフ上の位置に、所定の識別子を表示する表示ステップと、
ユーザの操作に応じて前記所定の識別子を前記グラフ上で移動させるための操作手段の動作に基づき、前記判定ステップにより判定された撮影シーンに対応する撮影条件を調整する調整ステップと、
を含むことを特徴とするカメラ制御方法。
【発明の詳細な説明】
【技術分野】
【０００１】
本発明は、設定された撮影条件で撮影を行うカメラ、カメラ制御プログラム及びカメラ制御方法に関するものである。
【背景技術】
【０００２】
従来、撮影条件をオート設定して撮影を行う所謂フルオートカメラが提案されている。このフルオートカメラは、撮像素子から得られる被写体像に基づいて撮影シーンを判定し、この判定した撮影シーンに応じて当該カメラの撮影条件（撮影モード）を自動的に設定する。したがって、ユーザは撮影条件の設定操作に煩わされることなく、撮影シーンに応じた適切な撮影条件で撮影、記録を行うことができる（例えば、特許文献１参照。）。
【特許文献１】特開２００８−１１２８９号公報
【発明の開示】
【発明が解決しようとする課題】
【０００３】
しかしながら、フルオートカメラにあっては、前述のようにユーザは撮影条件の設定操作に煩わされることなく、撮影シーンに応じた適切な撮影条件で撮影を行うことができる反面、撮影条件にユーザの意図が全く反映されない。したがって、記録された画像もユーザの意図が全く反映されていない特性となってしまうデメリットが生ずる。
一方、このフルオートカメラの対極のカメラとして、マニュアルカメラが存在する。マニュアルカメラにおいては、撮影条件が全てマニュアル設定されることから、撮影条件にユーザの意図が如実に反映される。したがって、記録された画像もユーザの意図が如実に反映された特性とすることもできる。しかし、マニュアルカメラにあっては、ユーザ自身が撮影シーンを判断して撮影条件を全てマニュアル設定しなければならないことから、記録された画像にユーザの意図が如実に反映できる反面、ユーザは撮影条件の設定操作に煩わされるデメリットが生ずる。
【０００４】
本発明は、かかる従来の課題に鑑みてなされたものであり、フルオートカメラとマニュアルカメラのデメリットを共に解消することのできるカメラ、カメラ制御プログラム及びカメラ制御方法を提供することを目的とする。
【課題を解決するための手段】
【０００５】
前記課題を解決するために請求項１記載の発明に係るカメラにあっては、撮像された被写体画像に基づき撮影シーンを判定する判定手段と、撮影条件に関するグラフを表示するとともに、前記判定手段により判定された撮影シーンに対応する撮影条件に対応する前記グラフ上の位置に、所定の識別子を表示する表示手段と、を備えたカメラにおいて、前記表示手段は、ユーザの操作に応じて前記所定の識別子を前記グラフ上で移動させる操作手段を備え、この操作手段の動作に基づき、前記判定手段により判定された撮影シーンに対応する撮影条件を調整するマニュアル調整手段を更に備えることを特徴とする。
【００１０】
また、請求項２記載の発明に係るカメラにあっては、前記操作手段により移動させた前記所定の識別子の前記グラフ上における位置を検出する位置検出手段を備え、前記マニュアル調整手段は、前記位置検出手段により検出された前記グラフ上における位置に基づき、前記判定手段により判定された撮影シーンに対応する撮影条件を調整することを特徴とする。
【００１１】
また、請求項３記載の発明に係るカメラにあっては、前記マニュアル調整手段により調整された撮影条件に基づき、前記撮像された被写体画像に対して画像処理を施す画像処理手段を備え、前記表示手段は、前記画像処理手段により画像処理が施された被写体画像をスルー画像として、前記グラフに重畳させて表示することを特徴とする。
また、請求項４記載の発明に係るカメラにあっては、ユーザの撮影準備動作の開始を検出する動作検出手段を備え、前記表示手段は、前記動作検出手段によりユーザの撮影準備動作の開始が検出されると、前記グラフの表示を消去することを特徴とする。
【００１２】
また、請求項５記載の発明に係るカメラにあっては、前記グラフは、２次元グラフであり、前記表示手段は、前記２次元グラフに、前記識別子上で直交する縦線と横線とを更に表示することを特徴とする。
【００１３】
また、請求項６記載の発明に係るカメラにあっては、前記マニュアル調整手段により調整された撮影条件、又は前記判定手段により判定された撮影シーンに応じた撮影条件で撮影を実行する撮影手段を備えることを特徴とする。
また、請求項７記載の発明に係るカメラにあっては、前記所定の識別子は、前記判定手段により判定された撮影シーンに対応する撮影モードアイコンであり、前記表示手段は、前記判定手段により判定された撮影シーン以外の撮影シーンに対応する撮影モードアイコンをも、前記グラフ上において対応する位置に表示するとともに、前記判定手段により判定された撮影シーンに対応する撮影モードアイコンと、前記判定された撮影シーン以外の撮影シーンに対応する撮影モードアイコンとを異なる表示形態で表示することを特徴とする。
【００１４】
また、請求項８記載の発明に係るカメラ制御プログラムにあっては、カメラが有するコンピュータを、撮像された被写体画像に基づき撮影シーンを判定する判定手段と、撮影条件に関するグラフを表示手段に表示させるとともに、前記判定手段により判定された撮影シーンに対応する撮影条件に対応する前記グラフ上の位置に、所定の識別子を表示させる表示制御手段と、ユーザの操作に応じて前記所定の識別子を前記グラフ上で移動させるための操作手段の動作に基づき、前記判定手段により判定された撮影シーンに対応する撮影条件を調整するマニュアル調整手段と、して機能させることを特徴とする。
【００１５】
また、請求項９記載の発明に係るカメラ制御方法にあっては、撮像された被写体画像に基づき撮影シーンを判定する判定ステップと、撮影条件に関するグラフを表示手段に表示するとともに、前記判定ステップにより判定された撮影シーンに対応する撮影条件に対応する前記グラフ上の位置に、所定の識別子を表示する表示ステップと、ユーザの操作に応じて前記所定の識別子を前記グラフ上で移動させるための操作手段の動作に基づき、前記判定ステップにより判定された撮影シーンに対応する撮影条件を調整する調整ステップと、を含むことを特徴とする。
【発明の効果】
【００１６】
本発明によれば、判定された撮影シーンに対応する撮影条件に対応する前記グラフ上の位置に、所定の識別子が表示されるので、ユーザは表示された識別子の位置を参考にして撮影条件を容易にマニュアル設定することができる。したがって、フルオートカメラとマニュアルカメラのデメリットを共に解消することができ、ユーザが撮影条件の設定操作に煩わされる不都合を解消しつつ、ユーザの意図を撮影条件に反映させることができるという利点がある。
【発明を実施するための最良の形態】
【００１７】
以下、本発明の一実施の形態を図に従って説明する。図１は、本発明の一実施の形態にかかるデジタルカメラ１の電子回路構成を示す図である。このデジタルカメラ１は、基本モードである撮影モードにおいて、ズームレンズ１２−１を移動させて光学ズーム動作を行わせるズーム駆動部１１−１、フォーカスレンズ１２−２を移動させて合焦動作を行わせるＡＦ駆動部１１−２、ズームレンズ１２−１及びフォーカスレンズ１２−２を含む撮像レンズを構成するレンズ光学系１２、このレンズ光学系１２の光軸上に配置された絞り３２、この絞り３２を駆動する絞り駆動部３３、撮像素子であるＣＣＤ１３、タイミング発生器（ＴＧ）１４、垂直ドライバ１５、サンプルホールド回路（Ｓ／Ｈ）１６、Ａ／Ｄ変換器１７、カラープロセス回路１８、ＤＭＡ（Direct Memory Access）コントローラ１９、ＤＲＡＭインターフェイス（Ｉ／Ｆ）２０、ＤＲＡＭ２１を備えていている。また、制御部２２、ＶＲＡＭコントローラ２３、ＶＲＡＭ２４、デジタルビデオエンコーダ２５、表示部２６、ＪＰＥＧ（Joint Photograph cording Experts Group）回路２７、保存メモリ２８を備えているとともに、キー入力部３０を備えている。
【００１８】
撮影モードでのモニタリング状態においては、ズーム駆動部１１−１は、光学ズーム指示があると制御部２２からの制御信号に基づいて、図示しないズームレンズ駆動モータを駆動してズームレンズ１２−１を光軸に沿って前後に移動させることによりＣＣＤ１３に結像させる画像の倍率そのものを変化させる。また、ＡＦ駆動部１１−２は図示しないフォーカスレンズ駆動モータを駆動してフォーカスレンズ１２−２を移動させる。そして、前記撮像レンズ２を構成するレンズ光学系１２の撮影光軸後方に配置された撮像素子であるＣＣＤ１３が、タイミング発生器（ＴＧ）１４、垂直ドライバ１５によって走査駆動され、一定周期毎に結像した光像に対応する光電変換出力を１フレーム分出力する。
【００１９】
ＣＣＤ１３は被写体の二次元画像を撮像する固体撮像デバイスであり、典型的には毎秒数十フレームの画像を撮像する。なお、撮像素子はＣＣＤに限定されずＣＭＯＳ（Complementary Metal Oxide Semiconductor）などの固体撮像デバイスでもよい。
【００２０】
この光電変換出力は、アナログ値の信号の状態でＲＧＢの原色成分毎に適宜ゲイン調整された後に、サンプルホールド回路（Ｓ／Ｈ）１６でサンプルホールドされ、Ａ／Ｄ変換器１７でデジタルデータ（画素）に変換され、カラープロセス回路１８で画素補間処理及びγ補正処理を含むカラープロセス処理が行われて、デジタル値の輝度信号Ｙ及び色差信号Ｃｂ、Ｃｒが生成され、ＤＭＡ（Direct Memory Access）コントローラ１９に出力される。
【００２１】
ＤＭＡコントローラ１９は、カラープロセス回路１８の出力する輝度信号Ｙ及び色差信号Ｃｂ、Ｃｒを、同じくカラープロセス回路１８からの複合（composite）同期信号、メモリ書き込みイネーブル信号、及びクロック信号を用いてＤＲＡＭインターフェイス（Ｉ／Ｆ）２０を介してバッファメモリとして使用されるＤＲＡＭ２１にＤＭＡ転送する。
【００２２】
制御部２２は、このデジタルカメラ１全体の制御動作を司るものであり、ＣＰＵ若しくはＭＰＵ（以下、ＣＰＵ）と、後述するフローチャートに示す処理を実行するためのプログラム等を記憶したフラッシュメモリ等のプログラム格納メモリ、及びワークメモリとして使用されるＲＡＭ等により構成される。そして、前記輝度及び色差信号のＤＲＡＭ２１へのＤＭＡ転送終了後に、この輝度及び色差信号を、ＤＲＡＭインターフェイス２０を介してＤＲＡＭ２１から読み出し、ＶＲＡＭコントローラ２３を介してＶＲＡＭ２４に書込む。
【００２３】
また、制御部２２は、キー入力部３０からの状態信号に対応してフラッシュメモリ等のプログラム格納用メモリに格納されている各モードに対応の処理プログラムやメニューデータを取り出して、デジタルカメラ１の各機能の実行制御、具体的には撮影動作や、光学ズーム時のズームレンズの動作制御や、スルー画像表示、自動合焦、撮影、記録、及び記録した画像の再生・表示等の実行制御等や機能選択時の機能選択メニューの表示制御、設定画面の表示制御等を行う。
【００２４】
デジタルビデオエンコーダ２５は、前記輝度及び色差信号を、ＶＲＡＭコントローラ２３を介してＶＲＡＭ２４から定期的に読み出し、これらのデータを基にビデオ信号を生成して前記表示部２６に出力する。表示部２６は、撮影モード時にはモニタ表示部（電子ファインダ）として機能するもので、デジタルビデオエンコーダ２５からのビデオ信号に基づいた表示を行うことで、その時点でＶＲＡＭコントローラ２３から取り込んでいる画像情報に基づくスルー画像をリアルタイムに表示する。
【００２５】
また、制御部２２は撮影指示に応じて、本撮影処理を実行する。この本撮影処理においては、制御部２２は、キー入力部３０に含まれるシャッターキーの操作をトリガとして、ＣＣＤ１３、垂直ドライバ１５、サンプルホールド回路１６、カラープロセス回路１８、ＤＭＡコントローラ１９に対してスルー画撮影モードから静止画撮影モードへの切り替えを指示し、この静止画撮影モードによる撮影処理により得られた画像データをＤＲＡＭ２１に一時記憶する。
【００２６】
この保存記録の状態では、制御部２２がＤＲＡＭ２１に書き込まれている１フレーム分の輝度及び色差信号を、ＤＲＡＭインターフェイス２０を介してＹ、Ｃｂ、Ｃｒのコンポーネント毎に縦８画素×横８画素の基本ブロックと呼称される単位で読み出してＪＰＥＧ回路２７に書き込み、このＪＰＥＧ回路２７でＡＤＣＴ（Adaptive Discrete Cosine Transform：適応離散コサイン変換）、エントロピー符号化方式であるハフマン符号化等の処理によりデータ圧縮する。そして得た符号データを１画像のデータファイルとしてＪＰＥＧ回路２７から読み出し、保存メモリ２８に記録保存する。また、１フレーム分の輝度及び色差信号の圧縮処理及び保存メモリ２８への全圧縮データの書き込み終了に伴って、制御部２２は前記静止画撮影モードからスルー画撮影モードへの切り替えを指示する。
【００２７】
また、基本モードである再生モード時には、制御部２２が保存メモリ２８に記録されている画像データを選択的に読み出し、ＪＰＥＧ回路２７で撮影モード時にデータ圧縮した手順と全く逆の手順で圧縮されている画像データを伸張し、伸張した画像データを、ＶＲＡＭコントローラ２３を介してＶＲＡＭ２４に展開して記憶させた上で、このＶＲＡＭ２４から定期的に読み出し、これらの画像データを元にしてデジタルビデオエンコーダ２５でビデオ信号を生成して表示部２６で再生出力させる。
【００２８】
また、表示部２６には、透明のタッチパネル３１が積層されており、タッチパネル３１はタッチ位置を検出して制御部２２に入力する。
【００２９】
なお、後述のオート設定パラメータにおける「フォーカス制御」は、ＡＦ駆動部１１−２がフォーカスレンズ１２−２を駆動する制御であり、「絞り」は、絞り駆動部３３が絞り３２を駆動する制御である。また、「ＥＶシフト量」は、絞り３２とシャッター速度との組み合わせに応じて，露出する光量をあらわす値の変化値であり、「感度」は、ＣＣＤ１３に対するゲインアップにより感度を上げる処理であり、「シャッター速度」は、前記ＣＣＤ１３の電荷蓄積時間である。
【００３０】
前記ＪＰＥＧ回路２７は複数の圧縮率に対応しており、圧縮率に対応させて記憶するモードには圧縮率の低い高解像度（一般に、高精細、ファイン、ノーマルなどと呼ばれる）に対応するモードと圧縮率の高い低解像度（一般にエコノミーなどと呼ばれる）モードがある。また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）、ＱＶＧＡ（３２０×２４０）等と呼ばれる記録画素サイズがある。
【００３１】
保存メモリ２８は、内蔵メモリ（フラッシュメモリ）やハードディスク、あるいは着脱可能なメモリカード等の記録媒体からなり画像データや撮影情報等を保存記録する。
【００３２】
キー入力部３０は、モードダイアル、カーソルキー、ＳＥＴキー、ズームボタン（Ｗボタン、Ｔボタン）、シャッターキー、クリアキー及び電源ボタン等と、それらのキーが操作されると操作されたキーの操作信号を生成して制御部２２に送出するキー処理部（図示せず）等から構成されている。
【００３３】
図２は、本実施の形態において制御部２２内のＲＯＭに格納されている撮影シーン対応テーブル２２１を示す図である。この撮影シーン対応テーブル２２１は、「撮影シーン」に対応して、「アイコン」、「パラメータ」が記憶されている。「撮影シーン」は、「人（男性）」、「人（女性）」・・・「夜景」等の後述する処理により判定された撮影シーンである。「アイコン」は、判定された撮影シーンを簡略的に示す図形である。また、「パラメータ」としては、当該撮影シーンにおいて最適な所定の値が記憶されている。
【００３４】
なお、図２のパラメータは、あくまでも前記本撮影時（静止画撮影モード）用のパラメータであって、スルー画撮影モード時には、本撮影時用のパラメータを擬似的に画像処理（ソフト処理）で実現することになる。したがって、撮影シーン対応テーブル２２１には、図示しないが各種パラメータに対応して、画像処理ソフトが記憶されており、この対応する画像処理ソフトを用いて、スルー画像を画像処理し、擬似的に当該パラメータで本撮影した場合の特性を有するスルー画像を生成する。より具体的には、例えばパラメータ「シャッター速度」である場合には、シャッター速度が遅くなるに従って、画像処理によりスルー画像の明るさを高める画像処理が実行されることとなる。
【００３５】
そして、ユーザが撮影を行うべく、キー入力部３０のモードダイアルを操作することにより、撮影モードを設定し、かつ「選べるオートモード」を選択すると、制御部２２は、プログラムに従って図３のフローチャートに示すように処理を実行する。まず、表示部２６にて前記スルー画像の表示を開始する（ステップＳ１）。次に、このスルー画像の表示に伴って、ＣＣＤ１３から順次ＤＲＡＭ２１に転送されてくる１フレーム分の画像に基づき、撮影シーンを判定する（ステップＳ２）。
【００３６】
この撮影シーンの判定は、例えば特開平２００８−１１２８９号公報に開示されているように、前記撮影シーン対応テーブル２２１に記憶されている各「撮影シーン」にそれぞれについて色相データと彩度データとの色相−彩度座標上における分布をＲＯＭに記憶しておき、前記ＤＲＡＭ２１内の画像についての色相データと彩度データの分布を前記各「撮影シーン」についての分布と比較することにより、当該撮影画像（ＤＲＡＭ２１内の画像）がいずれの「撮影シーン」に該当するかにより判定する。
【００３７】
そして、このようにして撮影シーンを判定したならば、判定した撮影シーンに対応するパラメータを撮影シーン対応テーブル２２１から読み出して、制御部２２内のＲＡＭに記憶する（ステップＳ３）。したがって、撮影シーンに対応するパラメータは制御部２２内のＲＡＭに保存された状態となる。
【００３８】
次に、パラメータに関する軸を設定したグラフを前記スルー画像に重畳させて、表示部２６に表示させる（ステップＳ４）。このステップＳ４の処理で表示されるグラフは、デフォルトの状態においては、縦軸に「絞り」、横軸に「シャッター速度」が設定された二次元グラフである。したがって、図４に示すように、先ず縦軸に「絞り」、横軸に「シャッター速度」が設定されたグラフ２６１がスルー画像（図示せず）に重畳して表示される。
【００３９】
引き続き、この表示されたグラフ２６１上であって、対応する値の位置に前記ステップＳ２で判定された撮影シーンのアイコン（以下、当該シーンアイコンという）を表示する（ステップＳ５）。したがって、前記ステップＳ２で判定された撮影シーンが「風景」であったとすると、図４に示すように、撮影シーンが「風景」においてパラメータとして記憶されている絞り値とシャッター速度とに対応するグラフ２６１上の位置に、風景アイコン２６２が表示される。このとき、図示のようにグラフ２６１には、風景アイコン２６２上で直交する縦線２６３と横線２６４とを表示する。
【００４０】
この表示された縦線２６３と横線２６４とにより、ユーザは風景アイコン２６２の位置が示す値が、判定された撮影シーンにおける絞り値とシャッター速度であることを明確に認識することができる。
【００４１】
なお、このように縦線２６３と横線２６４を表示することなく、当該シーンアイコン２６２のみを、後述する他のアイコン２６５〜２６８と異なる表示形態とすることにより、アイコン２６２が当該シーンアイコンであることを明示するようにしてもよい。また、他のアイコン２６５〜２６８を表示させることなく、当該シーンアイコン２６２のみをグラフ上に表示させるようにしてもよい。この場合、当該シーンアイコン２６２に代えて、判定された撮影シーンとは無関係の識別子（数字、記号、図形、マーク等）を表示させるようにしてもよい。
【００４２】
さらに、前記グラフ２６１上の対応する値の位置に、前記ステップＳ２で判定された撮影シーン以外の他の撮影シーンのアイコンを表示する（ステップＳ６）。したがって、このステップＳ６での処理により、図４に示すように、風景アイコン２６２以外の夜景アイコン２６５、自然アイコン２６６、花アイコン２６７、マクロアイコン２６８等がパラメータとして記憶されている絞り値とシャッター速度とに対応するグラフ２６１上の位置に表示される。
【００４３】
したがって、ユーザはこれら他の撮影シーンのアイコン２６５〜２６８のグラフ２６１における位置を確認することにより、判定された撮影シーンのパラメータと他の撮影シーンのパラメータとの差異を認識したり、学習することができる。
【００４４】
次に、前記タッチパネル３１からの検出情報に基づき、当該シーンアイコン２６２にタッチされたか否かを判断し（ステップＳ７）、タッチされない場合にはステップＳ１１に進む。当該シーンアイコンにタッチされた場合には、当該シーンアイコン２６２を現在のタッチ位置に表示する処理（ステップＳ８）に移行する。したがって、このステップＳ８の処理により、図５に示すように、ユーザが指Ｆにて当該シーンアイコン２６２にタッチし、図６に示すように、タッチした状態で指Ｆを移動させると、当該シーンアイコン２６２は指の移動と一体的に移動して表示されることになる。
【００４５】
引き続き、当該シーンアイコン２６２へのタッチが解除されたか否か、つまり当該シーンアイコン２６２から指Ｆが離れたか否かを判別し（ステップＳ９）、指Ｆが離れるまでステップＳ８の処理を継続する。そして、指Ｆが離れた時点で（ステップＳ９→ＹＥＳ）、ステップＳ８に戻ることなく次ステップＳ１０に進む。したがって、図６の状態で指Ｆを離すと、図７に示すように、当該シーンアイコン２６２は指Ｆを離した位置で停止して表示される。
【００４６】
そして、指Ｆが離れた時点における以上のようにして表示変更されたグラフ２６１上における当該シーンアイコンアイコン２６２の位置に基づき、グラフ２６１の縦軸と横軸との値を読み取って、前記ステップＳ３で制御部２２内のＲＡＭに保存されたパラメータにおける対応する値を更新する（ステップＳ１０）。ここで、シーンアイコン２６２にタッチした後、指Ｆを全く移動させることなく指Ｆが離された場合には、前記ステップＳ３で制御部２２内のＲＡＭに保存されたパラメータが同一の値に更新されることになる。
【００４７】
したがって、制御部２２内のＲＡＭに記憶された撮影シーンのパラメータは、当該シーンアイコン２６２のグラフ２６１上における位置に応じて変化していく。このとき、当該シーンアイコンが、グラフ２６１上において対応する位置に表示されているので、ユーザは表示された当該シーンアイコン２６２のグラフ２６１上の位置を参考にして撮影条件を容易にマニュアル設定することができる。
【００４８】
そして、次のスルー画像ソフト処理により、前記画像処理ソフトを用いてスルー画像に対し、前記制御部２２内のＲＡＭに記憶されたパラメータを擬似的に実現する画像処理を実行する（ステップＳ１１）。したがって、前述したユーザの指Ｆによる当該シーンアイコン２６２の移動操作があった場合には、ステップＳ１０で更新されたパラメータで擬似的に本撮影した特性を有するスルー画像が表示部２６に表示されることとなる。
【００４９】
よって、撮影者がこのスルー画像を視認することにより、パラメータのマニュアル設定により画像がどのように変化するかを確認したり、学習することができる。
【００５０】
しかし、当該シーンアイコン２６２に対するタッチが全くない場合には、前記ステップＳ１０の処理が実行されないことから、制御部２２内のＲＡＭに保存されたパラメータは、更新されることなく、ステップＳ３で記憶したままの状態に維持されることになる。よって、この場合には、オート設定されたパラメータで擬似的に本撮影した特性を有するスルー画像が表示部２６に表示されることとなる。
【００５１】
次に、キー入力部３０のクリアキーが操作されたか否かを判断し（ステップＳ１２）、クリアキーが操作された場合には、ステップＳ２に戻る。なお、ステップＳ３で記憶した撮影シーンに対応するパラメータを、ステップＳ１０で更新記憶せずに保持しておく構成とした場合には、ステップＳ４に戻るようにしてもよい。
【００５２】
また、クリアキーが操作されない場合には、キー入力部３０にてグラフ変更操作がなされたか否かを判断する（ステップＳ１３）。グラフ変更操作がなされた場合には、ステップＳ４に戻り、他のパラメータを設定したグラフを前記スルー画像に重畳させて、表示部２６に表示させる。
【００５３】
ここで、他のパラメータを設定したグラフは、図８及び図９に例示したように、パラメータによって異なる。すなわち、図８は、パラメータがホワイトバランスである場合のグラフ例を示す図である。図示のように、円環部２６９の均等位置に「Ｒ（赤）」、「Ｇ（緑）」、「Ｂ（青）」の文字を表示するとともに、円環部２６９内の円部に表示した当該シーンアイコン２６２の位置により、判定された撮影シーンのホワイトバランスを示す。
【００５４】
図９は、例えば互いに異なる複数のパラメータをそれぞれ個別に棒グラフ表示する例であり、各々の棒グラフ上における当該シーンアイコン２６２により、各パラメータの値を示す。
【００５５】
つまり、ステップＳ４で表示させるグラフは、１次元グラフや２次元グラフに限らず３次元グラフ等の如何なるグラフであってもよく、要は当該パラメータを視覚的に確認できればどのような表示形態のグラフであってもよいのである。
【００５６】
そして、ステップＳ１３でのグラフ変更指示操作がないと判断された場合には、シャッターキーが半押し操作されたか否かを判断し（ステップＳ１４）、シャッターキーが半押し操作されない場合にはステップＳ７に戻る。シャッターキーが半押し操作されたならば、現時点で表示部２６に表示されているグラフ２６１を消去する（ステップＳ１５）。
【００５７】
したがって、ユーザはシャッターキーを半押し操作することにより、グラフ２６１が重畳表示されていない表示部２６にて被写体を明瞭に確認することができる。
【００５８】
引き続き、制御部２２内のＲＡＭに記憶されているパラメータのうちフォーカス制御のパラメータに基づいてＡＦ処理を実行し（ステップＳ１６）、シャッターキーが全押しされたか否かを判断する（ステップＳ１７）。全押しされない場合には、シャッターキーの半押しが解除されたか否かを判断し（ステップＳ１８）、シャッターキーの半押しが解除された場合には、ステップＳ２に戻る。なお、この場合ステップＳ４に戻るようにしてもよい。
【００５９】
そして、シャッターキーが全押しされたならば、ステップＳ１７からステップＳ１９に進んで、前述した本撮影処理を実行する。つまり、制御部２２は、シャッターキーの操作をトリガとして、スルー画撮影モードから静止画撮影モードへの切り替えを指示し、この静止画撮影モードにおいて制御部２２のＲＡＭに記憶されているパラメータで撮影処理し、この撮影処理により得られた画像データをＤＲＡＭ２１に一時記憶した後、保存メモリ２８に記録する（ステップＳ１９）。
【００６０】
このとき、ユーザが１度でも当該シーンアイコン２６２にタッチして移動させた後にシャッターキーを全押し操作した場合には、前記ステップＳ１０で制御部２２内のＲＡＭに更新保存されたパラメータを撮影条件として、前述した本撮影処理を実行することになる。つまり、制御部２２は、シャッターキーの操作をトリガとして、スルー画撮影モードから静止画撮影モードへの切り替えを指示し、この静止画撮影モードにおいて前記ステップＳ１０で制御部２２のＲＡＭに更新記憶されているパラメータで撮影処理し、この撮影処理により得られた画像データをＤＲＡＭ２１に一時記憶した後、保存メモリ２８に記録することになる（ステップＳ１８）。
【００６１】
この保存メモリ２８に記録された撮影画像データにあっては、撮影条件がフルオート設定された後、その一部が撮影者の操作によってマニュアル設定されたものである。したがって、ユーザが撮影条件の設定操作に煩わされる不都合を解消しつつ、ユーザの意図を撮影条件に反映させたものとすることができる。
【００６２】
しかし、ユーザが１度も当該シーンアイコン２６２にタッチして移動させることなく、シャッターキーを全押し操作した場合には、前記ステップＳ３で制御部２２内のＲＡＭに保存されたパラメータを撮影条件として本撮影処理が実行されることとなる。したがって、この場合、保存メモリ２８に記録された撮影画像データにあっては、撮影条件がフルオート設定されたものである。したがって、ユーザはシーンアイコン２６２にタッチして移動させることなくシャッターキーを全押し操作することにより、フルオート撮影を行うこともできる。
【００６３】
なお、本実施の形態においては、ステップＳ１１でスルー画像に対し、前記制御部２２内のＲＡＭに記憶されたパラメータを擬似的に実現する画像処理を実行するようにしたが、このようなスルー画像に対する画像処理は実行することなく、通常のスルー画像表示を行うようにしてもよい。
【００６４】
また、本実施の形態では、この発明をデジタルカメラに適用した場合を例にして説明しているが、デジタルカメラばかりでなく、光学系及び撮像素子を介して取り込んだ画像データを記録する機能を備えた装置、例えば、カメラ付携帯電話や撮像機能を備えた電子機器にも適用することができる。
【図面の簡単な説明】
【００６５】
【図１】本発明の一実施の形態に係るデジタルカメラの電子回路構成を示す図である。
【図２】撮影シーン対応テーブルを示す概念図である。
【図３】同実施の形態の処理手順を示すフローチャートである。
【図４】同実施の形態の表示画面例を示す図である。
【図５】図４に続く表示遷移図である。
【図６】図５に続く表示遷移図である。
【図７】図６に続く表示遷移図である。
【図８】ホワイトバランスのグラフ例を示す図である。
【図９】フォーカス制御、ＥＶシフト量、及び感度ホワイトバランスのグラフ例を示す図である。
【符号の説明】
【００６６】
１    デジタルカメラ
１２    レンズ光学系
１３    ＣＣＤ
１５    垂直ドライバ
１７    Ａ／Ｄ変換器
１８    カラープロセス回路
１９    ＤＭＡコントローラ
２１    ＤＲＡＭ
２２    制御部
２４    ＶＲＡＭ
２５    デジタルビデオエンコーダ
２６    表示部
２７    ＪＰＥＧ回路
２８    保存メモリ
２９    データベース
３０    キー入力部
３１    タッチパネル
２２１    撮影シーン対応テーブル
２６２、２６５〜２６８    シーンアイコン
【図１】
0004702401.tif 000002
【図２】
0004702401.tif 000003
【図３】
0004702401.tif 000004
【図４】
0004702401.tif 000005
【図５】
0004702401.tif 000006
【図６】
0004702401.tif 000007
【図７】
0004702401.tif 000008
【図８】
0004702401.tif 000009
【図９】
0004702401.tif 000010